(57)【要約】【課題】ＣＬＴ床の撓みや振動を抑制できて、重量床衝撃音に対する遮音性能を向上できるとともに、軽量化が図れる床構造等を提供する。【解決手段】本発明に係る床構造１は、ＣＬＴにより形成されたＣＬＴ床２と、当該ＣＬＴ床２の上に所定の間隔を隔てて配置された複数の支持脚３，３…と、複数の支持脚３，３…の上に形成された床板構成部４とを備え、床板構成部４は、支持脚３，３…の上に設けられて支持脚３，３…に固定された基材層５と、基材層５の上に設けられて基材層５に固定された剛性密度強化層６とを備え、剛性密度強化層６は、高密度層８と、高密度層８を上下から挟み込む挟持層９とを備えたことを特徴とする。【選択図】図１
2019094679.tif 000002
【特許請求の範囲】
【請求項１】
ＣＬＴにより形成されたＣＬＴ床と、当該ＣＬＴ床の上に所定の間隔を隔てて配置された複数の支持脚と、複数の支持脚の上に形成された床板構成部とを備え、
床板構成部は、支持脚の上に設けられて支持脚に固定された基材層と、基材層の上に設けられて基材層に固定された剛性密度強化層とを備え、
剛性密度強化層は、高密度層と、高密度層を上下から挟み込む挟持層とを備えたことを特徴とする床構造。
【請求項２】
剛性密度強化層は、基材層の上に複数の合板が並ぶように設置されて構成された挟持層の下側層と、当該下側層の上に複数のアスファルトシートが並ぶように設置されて構成された１層以上の高密度層と、当該高密度層の上に複数の合板が並ぶように設置されて構成された挟持層の上側層とで構成されたことを特徴とする請求項１に記載の床構造。
【請求項３】
高密度層が、複数のアスファルトシート層により構成され、下層を形成するアスファルトシートの板面の長辺と上層を形成するアスファルトシートの板面の長辺とが互いに直交するように、下層を形成するアスファルトシートと上層を形成するアスファルトシートとが設置されたことを特徴とする請求項２に記載の床構造。
【請求項４】
挟持層の下側層を形成する合板の板面の長辺と挟持層の上側層を形成する合板の板面の長辺とが互いに直交するように、挟持層の下側層を形成する合板と挟持層の上側層を形成する合板とが設置されたことを特徴とする請求項２又は請求項３に記載の床構造。
【請求項５】
剛性密度強化層を基材層に固定する固定手段が、挟持層の上側層を形成する合板の上面から、挟持層の上側層、高密度層、挟持層の下側層を貫通して、基材層の層厚方向の中間位置よりも下方の位置まで到達するように取付けられ、当該固定手段の取付ピッチが、４５５ｍｍ以下であることを特徴とする請求項２乃至請求項４のいずれか一項に記載の床構造。
【発明の詳細な説明】
【技術分野】
【０００１】
本発明は、ＣＬＴ（Cross Laminated Timber（直交集成板））により形成された床を備えた床構造に関する。
【背景技術】
【０００２】
ＣＬＴにより形成された床材を用いて構成された床構造が知られている（特許文献１参照）。
また、大中規模の木造建築物において、図２に示すように、ＣＬＴにより形成されたＣＬＴ床２と、このＣＬＴ床２の上に所定の間隔で配置された防振ゴム付きの複数の支持脚３，３…と、複数の支持脚３，３…の上に形成された床板構成部４０とを備えた構成の床構造が知られている（非特許文献１参照）。
尚、大中規模の木造建築物とは、軸組構造又は壁組構造で構築された学校、ホテル、集合住宅、老人ホーム、役所などの比較的大型の木造建築物のことである。
上述した床構造の床板構成部４０は、支持脚３，３…の上に複数のパーティクルボード又は複数の合板等が並ぶように設置されて構成された基材層５と、基材層５の上に設けられた二層のアスファルトシート層８，８と、二層のアスファルトシート層８，８の上に設けられたフローリング等の床仕上げ層７とを備えた構成である。
当該床構造によれば、二層のアスファルトシート層８，８により、床板構成部４０の密度（重量）を上げることができて、重量床衝撃音を軽減できる。
【先行技術文献】
【特許文献】
【０００３】
【特許文献１】特開２０１７−２５５２４号公報
【非特許文献】
【０００４】
【非特許文献１】日本ＣＬＴ協会  技術報告会２０１７  一般社団法人日本ＣＬＴ協会、２０１７年５月３０日、４３頁。
【発明の概要】
【発明が解決しようとする課題】
【０００５】
しかしながら、上述した床構造では、床板構成部の剛性が小さい。即ち、床板構成部が撓みやすいので、重量床衝撃音軽減効果が小さい。
本発明は、重量床衝撃音に対する遮音性能をさらに向上できる床構造を提供するものである。
【課題を解決するための手段】
【０００６】
本発明に係る床構造は、ＣＬＴにより形成されたＣＬＴ床と、当該ＣＬＴ床の上に所定の間隔を隔てて配置された複数の支持脚と、複数の支持脚の上に形成された床板構成部とを備え、床板構成部は、支持脚の上に設けられて支持脚に固定された基材層と、基材層の上に設けられて基材層に固定された剛性密度強化層とを備え、剛性密度強化層は、高密度層と、高密度層を上下から挟み込む挟持層とを備えたので、重量床衝撃音に対する遮音性能をさらに向上できる床構造となる。
また、剛性密度強化層は、基材層の上に複数の合板が並ぶように設置されて構成された挟持層の下側層と、当該下側層の上に複数のアスファルトシートが並ぶように設置されて構成された１層以上の高密度層と、当該高密度層の上に複数の合板が並ぶように設置されて構成された挟持層の上側層とで構成されたので、重量床衝撃音に対する遮音性能をさらに向上できる床構造となる。
また、高密度層が、複数のアスファルトシート層により構成され、下層を形成するアスファルトシートの板面の長辺と上層を形成するアスファルトシートの板面の長辺とが互いに直交するように、下層を形成するアスファルトシートと上層を形成するアスファルトシートとが設置されたので、高密度層の下層を形成するアスファルトシートと上層を形成するアスファルトシートとによる相互の拘束力が大きくなり、剛性密度強化層の一体化が向上して、重量床衝撃音に対する遮音性能に優れた床構造となる。
また、挟持層の下側層を形成する合板の板面の長辺と挟持層の上側層を形成する合板の板面の長辺とが互いに直交するように、挟持層の下側層を形成する合板と挟持層の上側層を形成する合板とが設置されたので、挟持層の下側層と挟持層の上側層とで高密度層を挟み込む拘束力が大きくなるため、剛性密度強化層の一体化が向上し、重量床衝撃音に対する遮音性能に優れた床構造となる。
また、剛性密度強化層を基材層に固定する固定手段が、挟持層の上側層を形成する合板の上面から、挟持層の上側層、高密度層、挟持層の下側層を貫通して、基材層の層厚方向の中間位置よりも下方の位置まで到達するように取付けられ、当該固定手段の取付ピッチが、４５５ｍｍ以下であるので、高密度層が挟持層によって挟まれた状態でねじ等が上側層、高密度層、下側層を貫通して、基材層に締結され、ねじ等がねじ等に対する拘束力の大きい上側層、下側層、基材層に螺着されることによって、高密度層に対する拘束力が高まって、剛性密度強化層の一体化が向上するため、重量床衝撃音に対する遮音性能に優れた床構造となる。
【図面の簡単な説明】
【０００７】
【図１】実施形態の床構造の一例を示す断面図。
【図２】従来の床構造の一例を示す断面図。
【発明を実施するための形態】
【０００８】
図１に示すように、実施形態に係る床構造１は、ＣＬＴ（Cross  Laminated  Timber（直交集成板））により形成されたＣＬＴ床２と、当該ＣＬＴ床２の上に所定の間隔を隔てて配置された複数の支持脚３，３…と、複数の支持脚３，３…の上に形成された床板構成部４とを備えた構成である。
【０００９】
ＣＬＴ床２は、軸組工法や壁式工法で形成される木造建築物の床の材料としてＣＬＴを使用して構成された床である。
ＣＬＴ床２は、例えば、集成材により形成された図外の柱と集成材により形成された図外の梁とで構成されたラーメン構造の構造体において端部が梁上に載置されて梁間に設置された床、又は、ＣＬＴにより形成された図外の壁で構成された壁式構造体において端部が壁上に載置されて壁間に設置された床である。
ＣＬＴ床２の高さ寸法Ｈは、例えば、１５０ｍ〜３６０ｍｍ（ラミナ５層〜ラミナ１２層の厚さ寸法に相当）に形成されている。
【００１０】
尚、ＣＬＴとは、農林水産省告示第３０７９号に規定されたように、「ひき板又は小角材（これらをその繊維方向を互いにほぼ平行にして長さ方向に接合接着して調整したものを含む。）をその繊維方向を互いにほぼ平行にして幅方向に並べ又は接着したものを、主としてその繊維方向を互いにほぼ直角にして積層接着し３層以上の構造を持たせた一般材」である。
即ち、ＣＬＴは、張り合わせる板の繊維方向が直交するように複数の板を張り合わせて構成された木材であり、直交集成板と呼ばれている。
また、上述した集成材は、張り合わせる板の繊維方向が並行方向となるように複数の板を張り合わせて構成された木材である。
【００１１】
支持脚３は、ＣＬＴ床２上に設置される防振材としての防振ゴム３１と、下部が防振ゴム３１に取付けられて防振ゴム３１に支持される支柱３２と、支柱３２の上端部に設けられた台座３３とを備える。
支柱３２の上部の外周面は図外の雄ねじ部に形成される。
台座３３は、例えば、パーティクルボード、あるいは、構造用合板で形成される。
台座３３は、台座３３の上下面に貫通する図外の貫通孔を備え、この貫通孔内には当該貫通孔を上下に貫通する図外の筒体が固定され、この筒体の内周面は図外の雌ねじ部に形成される。
つまり、支持脚３は、支柱３２の上部の外周面に形成された雄ねじ部の雄ねじと筒体の内周面に形成された雌ねじ部の雌ねじとのねじ嵌合により、台座３３が支柱３２に対して上下に移動可能に構成され、台座３３のレベル（高さ）を調整して床板構成部４のレベル（高さ）を調整できる構成である。
【００１２】
床板構成部４は、複数の支持脚３，３…の上に設けられて支持脚３，３…に固定された基材層５と、基材層５の上に設けられて基材層５に固定された剛性密度強化層６と、剛性密度強化層６の上に設けられた床仕上げ層７とを備える。
【００１３】
基材層５は、複数の支持脚３，３…の上に複数のパーティクルボード又は複数の合板等の長方形の板面を有した複数の板材の板面が並ぶように設置されて構成される。
例えば、基材層５を構成する複数のパーティクルボード又は複数の合板等の複数の板材の板面が、複数の支持脚３，３…の台座３３，３３…上に載置されて水平面を形成するように並べられ、ねじ等の固定手段により台座３３，３３…に固定される。
尚、基材層５を形成するパーティクルボードや合板の短辺寸法、長辺寸法、板厚寸法は、特に限定されないが、基材層５は、例えば、短辺寸法６００ｍｍ、長辺寸法１８２０ｍｍの長方形板面を有した板厚寸法２５ｍｍのパーティクルボードを用いた１層のパーティクルボード層により構成される。
【００１４】
剛性密度強化層６は、高密度層８と、高密度層８を上下から挟み込む挟持層９とを備える。
【００１５】
剛性密度強化層６は、基材層５の上に長方形の板面を有した複数の合板の板面が並ぶように設置されて構成された挟持層９の下側層９Ａと、当該下側層９Ａの上に長方形の板面を有した複数のアスファルトシートの板面が並ぶように設置されて構成された１層以上の高密度層８と、当該高密度層８の上に長方形の板面を有した複数の合板の板面が並ぶように設置されて構成された挟持層９の上側層９Ｂとで構成されている。
【００１６】
高密度層８は、上下方向に積層された複数のアスファルトシート層、例えば図１に示すような２層のアスファルトシート層、又は、１層のアスファルトシート層により構成される。
尚、高密度層８を形成するアスファルトシートの短辺寸法、長辺寸法、板厚寸法、比重は、特に限定されないが、例えば、短辺寸法４５５ｍｍ、長辺寸法９１０ｍｍの長方形板面を有した板厚寸法１０ｍｍ又は８ｍｍで、かつ、比重２．３以上のアスファルトシートを用いる。
【００１７】
また、挟持層９を形成する合板の短辺寸法、長辺寸法、板厚寸法は、特に限定されないが、下側層９Ａ及び上側層９Ｂは、例えば、短辺寸法９１０ｍｍ、長辺寸法１８２０ｍｍの長方形板面を有した板厚寸法１２．５ｍｍ又は９．５ｍｍ又は５．５ｍｍの構造用合板、普通合板、コンクリート型枠用合板等の合板を用いた１層の合板層により構成される。
【００１８】
基材層５がねじ等の固定手段によって複数の支持脚の台座３３に固定され、剛性密度強化層６がねじ等の固定手段により固定手段によって基材層に固定されている。尚、ねじ等とは、例えば、スクリューねじ（ビス）、タッカー針、スクリュー釘、釘などである。
【００１９】
また、高密度層８を、複数のアスファルトシート層により構成する場合には、下層を形成するアスファルトシートの板面の長辺と上層を形成するアスファルトシートの板面の長辺とが互いに直交するように、下層を形成するアスファルトシートと上層を形成するアスファルトシートとが設置されている。
さらに、挟持層９の下側層９Ａを形成する合板の板面の長辺と挟持層９の上側層９Ｂを形成する合板の板面の長辺とが互いに直交するように、挟持層９の下側層９Ａを形成する合板と挟持層９の上側層９Ｂを形成する合板とが設置されている。
そして、図１に示すように、剛性密度強化層６を基材層５に固定する固定手段１０は、挟持層９の上側層９Ｂを形成する合板の上面から、挟持層９の上側層９Ｂ、高密度層８、挟持層９の下側層９Ａを貫通して、基材層５の層厚方向の中間位置よりも下方の位置まで到達するねじ等を用いる。当該ねじ等の取付ピッチは、４５５ｍｍ以下、好ましくは、３０３ｍｍ以下とした。
以上のような、挟持層９を形成する合板の設置態様、高密度層８の複数のアスファルトシート層を形成するアスファルトシートの設置態様、ねじ等の長さ、ねじ等の取付ピッチに設定されたことにより、剛性密度強化層６の一体化が向上するので、剛性及び密度（重量）の大きい剛性密度強化層６を構築でき、ＣＬＴ床２を対象とした二重床構造における重量床衝撃音に対する遮音効果が向上する。
即ち、高密度層８の下層を形成するアスファルトシートと上層を形成するアスファルトシートとが直交配置されているとともに、挟持層９の下側層９Ａを形成する合板と挟持層９の上側層９Ｂを形成する合板とが直交配置されていることにより、高密度層８の下層を形成するアスファルトシートと上層を形成するアスファルトシートとによる相互の拘束力も大きくなるとともに、挟持層９の下側層９Ａと挟持層９の上側層９Ｂとで高密度層８を挟み込む拘束力が大きくなるため、剛性密度強化層６の一体化が向上する。
また、高密度層８が挟持層９によって挟まれた状態でねじ等が上側層９Ｂ、高密度層８、下側層９Ａを貫通して、基材層５に締結され、ねじ等がねじ等に対する拘束力の大きい上側層９Ｂ、下側層９Ａ、基材層５に螺着されることによって、高密度層８に対する拘束力が高まって、剛性密度強化層６の一体化が向上する。
合板は、例えば、短辺寸法９１０ｍｍ、長辺寸法１８２０ｍｍであるので、下側層９Ａの合板と上側層９Ｂの合板とを直交配置し、ねじ等を下側層９Ａの合板と高密度層８のアスファルトシートと上側層９Ｂの合板とを貫通させて基材層５に固定することは、この部分の全体で一体化された剛性の高い床板構成部４となる。このことは、床上で発生した重量床衝撃音が剛性の高い床板構成部４で瞬時に水平方向に広がることから、重量床衝撃音が床板構成部４を支持する複数の支持脚３，３…の防振ゴム３１，３１…に吸収されて、遮音効果が向上することになる。
また、高密度層８をアスファルトシートで構成したことにより、鉄筋コンクリート床と比較して重量床衝撃音に対する遮音性能が低いＣＬＴ床２に対して、重量床衝撃音対策効果を高めることができる。
【００２０】
床仕上げ層７は、挟持層９の上側層９Ｂの上に、フローリング床材、カーペット、タイル、絨毯、石板、畳等の床仕上げ材を設けることにより構成される。
【００２１】
実施形態に係る木造建築物の床構造１によれば、ＣＬＴにより形成されたＣＬＴ床２と、当該ＣＬＴ床２の上に所定の間隔を隔てて配置された複数の支持脚３，３…と、複数の支持脚３，３…の上に形成された床板構成部４とを備えた二重床構造において、床板構成部４が、支持脚３，３…の上に設けられて支持脚３，３…に固定された基材層５と、基材層５の上に設けられて基材層５に固定された剛性密度強化層６とを備え、剛性密度強化層６を、高密度層８と、高密度層８を上下から挟み込む挟持層９（下側層９Ａ及び上側層９Ｂ）とで構成したので、剛性及び密度（重量）の大きい剛性密度強化層６を構築できて、重量床衝撃音に対する遮音効果の高い、ＣＬＴ床２を対象とした二重床構造を提供できるようになった。
尚、鉄筋コンクリート建築物の床スラブを対象とした二重床構造において、本実施形態のような剛性密度強化層６を設けた場合、過剰仕様となるが、木造建築物のＣＬＴ床のような揺れ易く軽い木製床を対象とした二重床構造の場合、実施形態のような剛性及び密度の大きい剛性密度強化層６を設けることにより、重量床衝撃音に対する遮音効果を向上させることができる。
【００２２】
尚、高密度層８は、アスファルトシート以外の材料の板材を用いて構成してもよい。例えば、アスファルトシートと同等の密度（重量）の大きい材料の板材を用いるようにしてもよい。
また、挟持層９は、合板以外の材料の板材を用いて構成してもよい。例えば、合板と同様に剛性が大きく、かつ、ねじ等に対する拘束力の大きい材料の板材を用いるようにしてもよい。
【符号の説明】
【００２３】
１  床構造、２  ＣＬＴ床、３  支持脚、４  床板構成部、５  基材層、
６  剛性密度強化層、８  高密度層、９  挟持層、９Ａ  挟持層の下側層、
９Ｂ  挟持層の上側層。
【図１】
2019094679.tif 000003
【図２】
2019094679.tif 000004